(57)【要約】【課題】  使用中の上衣のずれや捲れ上がりを防止して快適に使用することのできるセパレートタイプのスポーツウェアを提供する。【解決手段】  上半身に着用する上衣１１と、下半身に着用する下衣２１とを有するスポーツウェアにおいて、上衣１１は、着用時においてその下端１２が下衣の上端２２より下方に位置して下衣２１に外側から重なるように形成され、上衣１１と下衣２１とが重なる部分の左右側部にスナップボタン付テープ３１が取り付けられており、スナップボタン付テープ３１により上衣１１と下衣２１が結合、分離可能に構成されてなるものである。【選択図】        図３
0003111300.tif 000002
【実用新案登録請求の範囲】
【請求項１】
上半身に着用する上衣と、下半身に着用する下衣とを有するスポーツウェアにおいて、
前記上衣は、着用時においてその下端が下衣の上端より下方に位置して下衣に外側から重なるように形成され、前記上衣と前記下衣とが重なる部分の左右側部に結合部材が取り付けられており、該結合部材により上衣と下衣が結合、分離可能に構成されてなることを特徴とするスポーツウェア。
【請求項２】
前記結合部材がスナップボタンであることを特徴とする請求項１記載のスポーツウェア。
【請求項３】
前記スナップボタンが、上下方向に複数取り付けられていることを特徴とする請求項２記載のスポーツウェア。
【請求項４】
前記結合部材は、テープ部材に複数のスナップボタンが間隔を持って取り付けられたスナップボタン付テープであり、当該スナップボタン付テープは、複数のスナップボタンが上下方向に並ぶように取り付けられていることを特徴とする請求項１記載のスポーツウェア。
【請求項５】
前記スナップボタン付テープは、雌スナップボタン付テープと雄スナップボタン付テープとで構成され、前記上衣と前記下衣のうちの一方に雌スナップボタン付テープが取り付けられ、他方に雄スナップボタン付テープが取り付けられており、各テープそれぞれの下端部には、結合を分離する際に使用者が把持するための把持部が設けられていることを特徴とする請求項４記載のスポーツウェア。
【請求項６】
前記スポーツウェアは水着であることを特徴とする請求項１乃至請求項５の何れかに記載のスポーツウェア。
【請求項７】
前記複数のスナップボタンの配置間隔は、使用中において前記スナップボタン間の隙間から上衣内に水が流入するのを抑えられる間隔に設定されていることを特徴とする請求項６記載のスポーツウェア。
【考案の詳細な説明】
【技術分野】
【０００１】
本考案は、上半身と下半身とで着衣を別々に構成したセパレートタイプのスポーツウェアに関するものである。
【背景技術】
【０００２】
従来、この種のセパレートタイプのスポーツウェアとして水着がある。このようなセパレートタイプの水着は、ワンピースタイプの水着に比べて着脱が容易であることから好まれている。
【０００３】
この種の水着に関する先行技術文献が見あたらなかったことをここに明記する。
【考案の開示】
【考案が解決しようとする課題】
【０００４】
しかしながら、セパレートタイプの水着の場合、使用時に上衣がずれたり捲れ上がったりして使用者に泳ぎにくさや不安感を与えたり、また、腹部が露出して体（特に胸部から腹部）を冷やしてしまうという問題があった。
【０００５】
本考案はこのような点に鑑みなされたもので、使用中の上衣のずれや捲れ上がりを防止して快適に使用することのできるセパレートタイプのスポーツウェアを提供することを目的とする。
【課題を解決するための手段】
【０００６】
本考案にかかるスポーツウェアは、上半身に着用する上衣と、下半身に着用する下衣とを有するスポーツウェアにおいて、上衣が、着用時においてその下端が下衣の上端より下方に位置して下衣に外側から重なるように形成され、上衣と下衣とが重なる部分の左右側部に結合部材が取り付けられており、結合部材により上衣と下衣が結合、分離可能に構成されてなるものである。
【考案の効果】
【０００７】
本考案によれば、上衣と下衣とが重なる部分の左右側部に結合部材を取り付け、結合部材により上衣と下衣が結合、分離可能に構成したので、使用時に上衣がずれたり捲れ上がったりするのを防止でき、これにより使用者に動きにくさや不安感を与えたり、また、腹部が露出して体を冷やしてしまう不都合を防止することができる。
【考案を実施するための最良の形態】
【０００８】
本実施の形態では、スポーツウェアの一つとして水着を例にとって説明する。
図１は、本考案の一実施の形態の水着の上衣と下衣とを着用した状態の正面図、図２は、図１の下衣の要部を示した図、図３は、図１の水着の上衣の要部を裏返した状態を示す図である。
【０００９】
本例の水着１は、上衣１１と下衣２１とを有している。上衣１１は、着用時においてその下端１２が下衣２１の上端２２より下方に位置し、腹部辺りで下衣２１の外側に重なるように形成されている。その重なる上下幅Ｗは以下に詳述する後述のスナップボタンを留める位置によって変化するが、本例では、例えば約６ｃｍ〜約１０ｃｍとしている。また、上衣１１は、使用者の腹部回りでだぶつくことなく適度なフィット感が得られるように寸法設定されており、上衣１１と下衣２１とが重なる部分が適度に密着して腹部が冷えにくい構成となっている。また、上衣１１と下衣２１とが重なる部分の左右側部には、上衣１１と下衣２１とを結合するための結合部材としてのスナップボタン付きテープ３１が取り付けられており、このスナップボタン付きテープ３１により上衣１１と下衣２１とが結合、分離自在となっている。
【００１０】
スナップボタン付きテープ３１は、雌スナップボタン付テープ３２と雄スナップボタン付テープ３３とから構成されており、それぞれ短冊状のテープ部材３４に、複数（本例では３個）の雌側スナップボタン３２ａ又は雄側スナップボタン３３ａが間隔を持って取り付けられた構成となっている。雌側スナップボタン３２ａ及び雄側スナップボタン３３ａの配置間隔は、泳いでいる際に、その配置間隔の隙間から上衣１１内へ水が流入するのを抑えることが可能な間隔に設定されている。かかる構成の雌スナップボタン付テープ３２及び雄スナップボタン付テープ３３は、各スナップボタン３２ａ，３３ａが上下方向に並ぶようにして上衣１１及び下衣２１に縫着されている。なお、本例では、雌スナップボタン付テープ３２が上衣１１に、雄スナップボタン付テープ３３が下衣２１に縫着されている。
【００１１】
また、雌スナップボタン付テープ３２及び雄スナップボタン付テープ３３のそれぞれには、両テープ３２，３３の結合を分離する際に使用者が把持するための上衣側把持部３２ｂ、下衣側把持部３３ｂが設けられている。上衣側把持部３２ｂは、テープ部材３４の下端部がテープ部材３４の内面側に折り返され、その折り返し部分の端部が、折り返し部分に対向するテープ部分と共に上衣１１に一体縫合されることにより形成されている。下衣側把持部３３ｂも同様に形成されており、テープ部材３４の下端部が、テープ部材３４の内面側に折り返され、その折り返し部分の端部が、折り返し部分に対向するテープ部分と共に下衣２１に一体縫合されることにより形成されている。
【００１２】
以上のように構成された水着１を着用する際には、使用者は、まず上衣１１及び下衣２１をそれぞれ着用する。そして、左右側部のスナップボタン付テープ３１の各スナップボタン３２ａ，３３ａを留めて上衣１１と下衣２１とを結合する。ここで、各スナップボタン３２ａ，３３ａは上下方向に複数設けられているため、スナップボタン３２ａ，３３ａを留める位置によって丈を調節することが可能となっている。したがって、使用者は自身の丈に応じた位置を選択してスナップボタン３２ａ，３３ａを留めることにより、自身の丈に合った状態で水着１を着用することができる。
【００１３】
このようにして水着１を着用して実際に泳ぐ際には、スナップボタン付テープ３１によって上衣１１と下衣２１とが左右側部で結合されているので、腕を上げ下げしたりしても、上衣１１がずれたり捲れ上がったりすることがない。このため、使用者は泳ぎにくさ（動きにくさ）や不安感を感じたりすることなく、快適に泳ぐことができる。また、上衣１１の捲れ上がりを防止できるため、腹部の露出を防止でき、体（特に胸部から腹部）を冷やしてしまう不都合を防止できる。
【００１４】
また、スナップボタン３２ａ，３３ａの間隔は、その隙間から上衣１１内に水が流入するのを抑えられる間隔に設定されているため、上衣１１内への水の流入を抑えることができ、泳ぎにくさや、腹部の冷えを確実に防止することができるようになっている。
【００１５】
そして、水着１を脱ぐ場合には、上衣１１及び下衣２１のスナップボタン付テープ３１の結合を分離する。この結合の分離は、左右それぞれの手指で上衣側把持部３２ｂ及び下衣側把持部３３ｂを把持し、把持した状態で両手指を互いに離れる方向に引き離す。これにより、各スナップボタン３２ａ，３３ａの結合を一気に取り外すことができる。ここで、上衣側把持部３２ｂ及び下衣側把持部３３ｂは、スナップボタン付テープ３１のテープ部材３４によって一体形成されたものであるので、引き離し動作の際に、仮に他の部分を引っ張るようにした場合に比べて他の生地や縫合部分を傷めることなく安心して取り外し動作を行うことができる。
【００１６】
以上説明したように、本実施の形態によれば使用感及び運動性に優れ、また体の冷えを防止することが可能な水着１を得ることができる。
【００１７】
なお、上記実施の形態では、スポーツウェアが水着である場合を例に説明したが、これに限られたものではなくトレーニングウェアでも良い。また、図１には、上衣１１がタンクトップタイプのものを例示したが、袖があるタイプのものとしてももちろん良い。
【００１８】
また、結合部材としてスナップボタン付テープ３１を例に挙げて説明したが、これに限られたものではなく他の結合部材を用いても良い。たとえば、マジックテープ（登録商標）やファスナー等を用いても良い。ただし、マジックテープ（登録商標）は肌に触れたり他の生地に接触するとその接触部分を傷めるといった不都合があったり、ファスナーも着脱性の面でスナップボタンに劣ることから、スナップボタン付テープを用いることが特に好ましい。
【００１９】
また、結合部材としてスナップボタンを用いる場合でも、本例のようにテープ部材にスナップボタンを取り付けたスナップボタン付テープではなく、上衣及び下衣に直接、個々にスナップボタンを取り付けるようにしても良い。
【図面の簡単な説明】
【００２０】
【図１】本考案の一実施の形態の水着の上衣と下衣とを着用した状態の正面図である。
【図２】図１の下衣の要部を示した図である。
【図３】図１の水着の上衣の要部を裏返した状態を示す図である。
【符号の説明】
【００２１】
１  水着
１１  上衣
１２  上衣の下端
２１  下衣
２２  下衣の上端
３１  スナップボタン付テープ
３２  雌スナップボタン付テープ
３２ａ  雌側スナップボタン
３２ｂ  上衣側把持部
３３  雄スナップボタン付テープ
３３ａ  雄側スナップボタン
３３ｂ  下衣側把持部
３４  テープ部材
【図１】
0003111300.tif 000003
【図２】
0003111300.tif 000004
【図３】
0003111300.tif 000005